【手続補正書】
【提出日】平成18年4月5日(2006.4.5)
【手続補正１】
【補正対象書類名】明細書
【補正対象項目名】特許請求の範囲
【補正方法】変更
【補正の内容】
【特許請求の範囲】
【請求項１】
ヘルメット使用者の頭部に装着する帽体が、キャップ状の主帽体と、ヘルメット使用者の顎部を選択的に覆い得るように、この主帽体に昇降可能に取付けられた補助帽体とを有し、
上記補助帽体が上記顎部を覆う下降位置にあるときにこの補助帽体を上記主帽体に対してロックするロック機構が、上記帽体に設けられ、
上記ロック機構による上記補助帽体の上記ロックを解除するために往動操作されるロック解除操作部材が、上記補助帽体に設けられ、
上記ロック解除操作部材の往動方向が、上記補助帽体の下降方向に対して鋭角をなすように構成したヘルメット。
【請求項２】
上記ロック解除操作部材の上記往動方向が、上記補助帽体の上記下降方向よりも内側に向いており、
上記鋭角が、５°〜４５°である請求項１に記載のヘルメット。
【請求項３】
上記補助帽体が、軸支手段により上記主帽体に対して昇降回動可能に上記主帽体に取付けられている請求項１または２に記載のヘルメット。
【請求項４】
上記補助帽体が上記下降位置にあるときに上記主帽体に対する上記補助帽体の移動を比較的小さな作用力で阻止する位置決め機構が、上記ロック機構とは別に設けられ、
上記位置決め機構が、上記主帽体に設けられた第１の位置決め手段と、上記補助帽体に設けられ上記第１の位置決め手段と凹凸嵌合する第２の位置決め手段とからなり、
上記補助帽体が上記下降位置にあるときに、上記補助帽体を上記主帽体に対して上昇方向に付勢する付勢手段がさらに設けられ、
この付勢手段の付勢力が、それ自体では、上記位置決め機構の凹凸嵌合を解除し得ない大きさに選定されている請求項１、２または３に記載のヘルメット。
【請求項５】
ヘルメット使用者の頭部に装着する帽体が、キャップ状の主帽体と、ヘルメット使用者の顎部を選択的に覆い得るように、この主帽体に昇降可能に取付けられた補助帽体とを有し、
上記補助帽体が上記顎部を覆う下降位置にあるときにこの補助帽体の左側および右側を上記主帽体に対してそれぞれロックする第１および第２のロック機構が、上記帽体に設けられ、
上記第１および第２のロック機構による上記補助帽体の上記ロックを共通に解除するために往動操作される共通のロック解除操作部材が、上記補助帽体に設けられているヘルメットにおいて、
上記ロック解除操作部材の往動操作を上記第１および第２のロック機構の第１および第２の可動側ロック部材に共通に伝達する共通の牽引用可撓性線条体を備え、
上記線条体の一端部が上記第１の可動側ロック部材に結合されるとともに、上記線条体の他端部が上記第２の可動側ロック部材に結合され、
上記ロック解除操作部材に線条体係止部が設けられ、
上記線条体の中間部分が上記線条体係止部に係止されているヘルメット。
【請求項６】
上記線条体係止部が、上記ロック解除操作部材に取付けられた線条体取付け部材にほぼ半円形状に形成され、
上記線条体の中間部分が、このほぼ半円形状の線条体係止部のほぼ円弧状の部分にほぼＵ字状に引っ掛けられて係止されている請求項５に記載のヘルメット。
【請求項７】
上記線状体取付け部材を上記ロック解除操作部材に対して摺動させることにより上記ロック解除操作部材に対する上記線条体取付け部材の取付け位置を調整して上記線条体のたるみを除去し得るように、上記線条体取付け部材が上記ロック解除操作部材に取付けられてる請求項５または６に記載のヘルメット。
【請求項８】
上記ロック解除操作部材を往復動可能に保持するための操作部材保持機構が設けられ、
この操作部材保持機構が、上記ロック解除操作部材を保持し得る保持部材を備え、
この保持部材が、上記ロック解除操作部材を往動操作するときに指を当てることができる指当て面を有している請求項５、６または７に記載のヘルメット。
【請求項９】
上記補助帽体の左側および右側に第１および第２の間隙形成部材が設けられ、
上記補助帽体が少なくとも上記下降位置にあるときには、上記補助帽体の左側および右側と上記第１および第２の間隙形成部材との間に形成された第１および第２の間隙に上記主帽体の左側および右側の下端附近がそれぞれ挿入されるように構成した請求項５〜８のいずれか１つに記載のヘルメット。
【請求項１０】
上記第１および第２のロック機構におけるロックが不必要に解除されるのを防止するために、上記下降位置にある上記補助帽体を上記主帽体に対して上昇方向に付勢する付勢手段が設けられている請求項５〜９のいずれか１つに記載のヘルメット。
【請求項１１】
上記ロック解除操作部材の往動方向が、上記補助帽体の上記下降方向に対して鋭角をなすように構成した請求項５〜１０のいずれか１つに記載のヘルメット。
【手続補正２】
【補正対象書類名】明細書
【補正対象項目名】０００９
【補正方法】変更
【補正の内容】
【０００９】
また、本発明は、別の一つの観点によれば、ヘルメット使用者の頭部に装着する帽体が、キャップ状の主帽体と、ヘルメット使用者の顎部を選択的に覆い得るように、この主帽体に昇降可能に取付けられた補助帽体とを有し、上記補助帽体が上記顎部を覆う下降位置にあるときにこの補助帽体の左側および右側を上記主帽体に対してそれぞれロックする第１および第２のロック機構が、上記帽体に設けられ、上記第１および第２のロック機構による上記補助帽体の上記ロックを共通に解除するために往動操作される共通のロック解除操作部材が、上記補助帽体に設けられているヘルメットにおいて、上記ロック解除操作部材の往動操作を上記第１および第２のロック機構の第１および第２の可動側ロック部材に共通に伝達する共通の牽引用可撓性線条体を備え、上記線条体の一端部が上記第１の可動側ロック部材に結合されるとともに、上記線条体の他端部が上記第２の可動側ロック部材に結合され、上記ロック解除操作部材に線条体係止部が設けられ、上記線条体の中間部分が上記線条体係止部に係止されているヘルメットに係るものである。
【手続補正３】
【補正対象書類名】明細書
【補正対象項目名】００２８
【補正方法】変更
【補正の内容】
【００２８】
取付け基板４１には、ほぼカップ状であってよいばね受け部４９が一体成形または接着による取付けによって設けられ、このばね受け部４９のワイヤ挿通孔５０には牽引用ワイヤ３２ａが挿通されている。また、牽引用ワイヤ３２ａは、合成ゴムなどの適当な弾性材料からなるチューブ５２に挿通されている。そして、このチューブ５２の一端部はボタン保持部材２３の弯曲片部２９ａおよび補助ガイド板部３１ａにより位置保持されて部材本体２５ａの前端面６３に当接され、他端部はばね受け部４９に当接されている。なお、左側の補助帽体ロック機構２１に用いられている同様のチューブ５２の一端部も、ボタン保持部材２３の弯曲片部２９ｂおよび補助ガイド板部３１ｂにより位置保持されて部材本体２５の前端面６３に当接されている。
【手続補正４】
【補正対象書類名】明細書
【補正対象項目名】００３７
【補正方法】変更
【補正の内容】
【００３７】
つぎに、図１および図２に示すフルフェイス型として機能しているヘルメット１を図３に示すジェット型として機能させたいときには、図４に示す状態において、補助帽体６の顎覆い部６ａの外周面のほぼ中央部にある開孔３４からリリース・ボタン２２の欠如部２８に指（例えば、人指指および／または中指）を挿入して、この指でリリース・ボタン２２の押圧面２８ａをコイルばね５１の付勢力に逆らって図４の矢印Ａで示す往動方向に押し下げる。この場合、押圧面２８ａはリリース・ボタン２２の往動方向Ａとほぼ直交しているから、指からリリース・ボタン２２に加わる力の方向はこの往動方向Ａとほぼ一致している。
【手続補正５】
【補正対象書類名】明細書
【補正対象項目名】００５１
【補正方法】変更
【補正の内容】
【００５１】
取付け基板４１は、図１７に示すように、平板形状であってよく、また、この取付け基板４１には、一対のボス挿通孔１０１ａ、１０１ｂ、リベット挿通孔１０２、ボス挿通孔１０３およびねじ挿通孔１０４がそれぞれ形成されている。そして、既述の第１の実施例においてはこの取付け基板４１に設けられていたばね受け部４９は、この第２の実施例においては補助取付け基板８２に一体成形などにより設けられている。また、補助取付け板８２は、ほぼ中央部分に段部８２ａを有し、また、この段部８２ａの両側にそれぞれ前板部８２ｂおよび後板部８２ｃを有している。そして、この後板部８２ｃには、一対のねじ挿通用のボス部１０５ａ、１０５ｂおよびばね受け部４９が一体成形などにより形成されている。
【手続補正６】
【補正対象書類名】明細書
【補正対象項目名】図１５
【補正方法】変更
【補正の内容】
【図１５】
図１４に示す状態から補助帽体を多少上昇させたときの、図１３と同様の図である。